(57)【要約】【課題】主に倍率色収差の改善を良好に行うことができる広角系ズームレンズを提供する。【解決手段】物体側より順に、フォーカス群Ｇ１、第１移動群Ｇ２、第２移動群Ｇ３、開口絞りＳｔおよびリレーレンズ群Ｇ４を備える。フォーカス群Ｇ１は、複数枚の負レンズＬ１１〜Ｌ１３が先行配置されると共に、最も像面側に正レンズＬ１４が配置された第１レンズ群Ｇ１１と、少なくとも１枚の正レンズＬ１５−１，１５−２からなり、近距離物体へのフォーカス時に像面側に移動する第２レンズ群Ｇ１２と、像面側に凹面を向けた少なくとも１枚の負レンズＬ１６を含む第３レンズ群Ｇ１３とを有している。第１レンズ群Ｇ１１における正レンズＬ１４の直前には、物体側に凹面を向けた負レンズＬ１３が配置され、その負レンズＬ１３のアッベ数をνｎ１１としたとき、以下の条件式（１）を満足する。νｎ１１≧８０  ……（１）【選択図】      図１
2004341238.tif 000002
【特許請求の範囲】
【請求項１】
物体側より順に、
全体として正の屈折力を有するフォーカス群と、
変倍を担う負の屈折力の第１移動群と、
変倍に伴う焦点移動を補正するための第２移動群と、
開口絞りと、
全体として正の屈折力を有するリレーレンズ群と
を備え、
前記フォーカス群は、物体側より順に、
複数枚の負レンズが先行配置されると共に、最も像面側に正レンズが配置され、フォーカス時に固定の第１レンズ群と、
正レンズのみからなり、近距離物体へのフォーカス時に像面側に移動する第２レンズ群と、
像面側に凹面を向けた少なくとも１枚の負レンズを含み、全体として正の屈折力を有する第３レンズ群と
を有し、
かつ、前記第１レンズ群における最も像面側の正レンズの直前に、物体側に凹面を向けた負レンズが配置され、その負レンズのアッベ数をνｎ１１としたとき、以下の条件式（１）を満足するように構成されている
ことを特徴とする広角系ズームレンズ。
νｎ１１≧８０  ……（１）
【請求項２】
前記第１レンズ群における最も像面側の正レンズのアッベ数をνｐ１１、
前記第３レンズ群における負レンズのアッベ数をνｎ１３
としたとき、
以下の条件式（２），（３）を満足するように構成されている
ことを特徴とする請求項１に記載の広角系ズームレンズ。
３５≦νｐ１１≦５６  ……（２）
２５≦νｎ１３≦３５  ……（３）
【請求項３】
前記第３レンズ群は、さらに、前記負レンズよりも像面側に配置された複数枚の正レンズを含み、かつ、最終面が像面に対して凸面を向けた形状である
ことを特徴とする請求項１または２に記載の広角系ズームレンズ。
【請求項４】
前記第３レンズ群における複数の正レンズのうち、
最も物体側にあるレンズの焦点距離をｆ３Ｆ，屈折率をＮ３Ｆ、
最も像面側にあるレンズの焦点距離をｆ３Ｒ，屈折率をＮ３Ｒ、
とし、
ＰＦ＝１／（ｆ３Ｆ・Ｎ３Ｆ），ＰＲ＝１／（ｆ３Ｒ・Ｎ３Ｒ）
としたとき、
以下の条件式（４）を満足するように構成されている
ことを特徴とする請求項３に記載の広角系ズームレンズ。
１．０≦ＰＲ／ＰＦ≦２．１  ……（４）
【発明の詳細な説明】
【０００１】
【発明の属する技術分野】
本発明は、例えば高精細なテレビカメラへの搭載に適した広角系ズームレンズに関する。
【０００２】
【従来の技術】
最近、映画フィルムを用いずに高精細なデジタルビデオカメラを利用してデジタル的に映画撮影を行う映画製作手法が開発され、実際に使用され始めている。このような映画製作手法を用いたシステムは、ｅ−シネマ（エレクトロニクス・シネマ）と呼ばれる。ｅ−シネマ用のカメラに用いられる撮影レンズは、ＨＤＴＶ（ｈｉｇｈ  ｄｅｆｉｎｉｔｉｏｎ  ｔｅｌｅｖｉｓｉｏｎ）カメラ用の撮影レンズと同等またはそれ以上の性能が要求される。ＨＤＴＶやｅ−シネマ用のカメラに用いられる広角系のレンズは、従来、光学性能の点から固定焦点タイプのものが多く、用途に応じて複数本のレンズを付け替えて使用していた。
【０００３】
しかしながら、特に、映画撮影やコマーシャル撮影の分野においては、使い勝手の点から、使用頻度の高い広角側の固定焦点タイプのレンズ数本分を１本で賄えるような広角系ズームレンズの要求がある。例えば２／３インチ用（イメージサイズφ１１ｍｍ）で、焦点距離の可変域が５ｍｍから１５ｍｍ程度までのズームレンズへの要求がある。
【０００４】
従来の広角系ズームレンズとしては、例えば以下の特許文献記載のものがある。これらの特許文献記載のズームレンズは、物体側より順に、フォーカス用の第１群と、変倍用の第２群と、変倍に伴う像面変動を補正する第３群と、変倍時に固定の第４群とを備えた構成となっている。
【０００５】
【特許文献１】
特開平６−２４２３７８号公報
【特許文献２】
特開平１０−６２６８６号公報
【０００６】
【発明が解決しようとする課題】
上述したように、特に映画撮影やコマーシャル撮影の分野においては、使い勝手の点から、広角系ズームレンズへの要求がある。そこで、これらの分野での使用に適した、良好な性能を有する広角系ズームレンズの開発が望まれる。例えば、結像面の前側に色分解光学系を持つテレビカメラ用のものとして、撮像素子サイズが２／３インチ用で焦点距離５ｍｍのような広角レンズの場合では、色分解光学系を挿入するために、８倍程度のレトロ比（焦点距離に対するバックフォーカスの割合）が要求される。しかしながら、レトロ比が大きくなってくると、開口絞りの前後の非対称性が顕著になってくるため、特に倍率色収差の補正が困難になってくる。従来の広角系ズームレンズでは、ＨＤＴＶなどの高解像力が要求される用途でのレンズとしては、特に広角端での倍率色収差の性能が不十分であった。
【０００７】
本発明はかかる問題点に鑑みてなされたもので、その目的は、主に倍率色収差の改善を良好に行うことができる広角系ズームレンズを提供することにある。
【０００８】
【課題を解決するための手段】
本発明による広角系ズームレンズは、物体側より順に、全体として正の屈折力を有するフォーカス群と、変倍を担う負の屈折力の第１移動群と、変倍に伴う焦点移動を補正するための第２移動群と、開口絞りと、全体として正の屈折力を有するリレーレンズ群とを備えている。フォーカス群は、物体側より順に、複数枚の負レンズが先行配置されると共に、最も像面側に正レンズが配置され、フォーカス時に固定の第１レンズ群と、正レンズのみからなり、近距離物体へのフォーカス時に像面側に移動する第２レンズ群と、像面側に凹面を向けた少なくとも１枚の負レンズを含み、全体として正の屈折力を有する第３レンズ群とを有している。第１レンズ群における最も像面側の正レンズの直前には、物体側に凹面を向けた負レンズが配置され、その負レンズのアッベ数をνｎ１１としたとき、以下の条件式（１）を満足するように構成されている。
νｎ１１≧８０  ……（１）
【０００９】
本発明による広角系ズームレンズでは、第１移動群を光軸方向に移動させることにより、変倍が行われる。変倍に伴う焦点移動の補正は、第２移動群を光軸方向に移動させることにより行われる。フォーカス調整は、これら変倍系（第１移動群および第２移動群）の物体側に配置されたフォーカス群により行われる。フォーカス群は、物体側より順に、第１レンズ群、第２レンズ群、および第３レンズ群からなり、第２レンズ群が、近距離物体へのフォーカス時に像面側に移動する。条件式（１）を満足していることで、全変倍域において、特に画面隅部で発生する倍率色収差の２次スペクトルが少なく抑えられる。
【００１０】
この広角系ズームレンズは、以下の条件式（２），（３）を満足するように構成されていることが好ましい。これらの条件を満たすことにより、全変倍域、全画面領域において、倍率色収差のバランスを取りやすくなる。
３５≦νｐ１１≦５６  ……（２）
２５≦νｎ１３≦３５  ……（３）
ただし、νｐ１１は、第１レンズ群における最も像面側の正レンズのアッベ数を示し、νｎ１３は、第３レンズ群における負レンズのアッベ数を示す。
【００１１】
この広角系ズームレンズにおいて、第３レンズ群は、負レンズよりも像面側に配置された複数枚の正レンズを含み、かつ、最終面が像面に対して凸面を向けた形状であることが好ましい。フォーカス群の後部である第３レンズ群が、複数枚の正レンズを含んでいることにより、正の屈折力を適切な配分で容易に分散させることができ、像面特性の改善をしやすくなる。また、第３レンズ群の最終面が像面に対して凸面を向けていることにより、特に広角端での歪曲収差を補正しやすくなる。
【００１２】
この場合において、さらに以下の条件式（４）を満足するように構成されていることが好ましい。条件式（４）を満たすことにより、特に、広角端から望遠側へズーミングしたときの画面周辺部での像面特性をより良好に保ちやすくなる。
１．０≦ＰＲ／ＰＦ≦２．１  ……（４）
ただし、
ＰＦ＝１／（ｆ３Ｆ・Ｎ３Ｆ），
ＰＲ＝１／（ｆ３Ｒ・Ｎ３Ｒ）
第３レンズ群における複数の正レンズのうち最も物体側にあるレンズの焦点距離をｆ３Ｆ，屈折率をＮ３Ｆ、複数の正レンズのうち最も像面側にあるレンズの焦点距離をｆ３Ｒ，屈折率をＮ３Ｒとする。
【００１３】
これらの好ましい構成を必要に応じて適宜採用することで、諸収差の発生がさらに良好に補正され、より高性能なレンズ系が実現される。
【００１４】
【発明の実施の形態】
以下、本発明の実施の形態について図面を参照して詳細に説明する。
【００１５】
図１は、本発明の一実施の形態に係る広角系ズームレンズの構成例を示している。この構成例は、後述の第１の数値実施例（図６，図７）のレンズ構成に対応している。図２，図３は、図１の広角系ズームレンズを拡大して示したものである。また、図４は、本実施の形態に係る広角系ズームレンズの他の構成例を示している。図４の構成例は、後述の第２の数値実施例（図８，図９）のレンズ構成に対応している。図５は、図４の広角系ズームレンズのうち、図１の広角系ズームレンズと大きく異なる構成部分を拡大して示したものである。
【００１６】
なお、図２，図３および図５において、符号Ｒｉは、絞りＳｔも含めて最も物体側の構成要素の面を１番目として、像側（結像側）に向かうに従い順次増加するようにして符号を付したｉ番目（ｉ＝１〜５２）の面の曲率半径を示す。符号Ｄｉは、ｉ番目の面とｉ＋１番目の面との光軸Ｚ１上の面間隔を示す。なお、各構成例共に基本的な構成は同じなので、以下では、図１に示した広角系ズームレンズの構成を基本にして説明する。
【００１７】
この広角系ズームレンズは、例えば、ｅ−シネマやＨＤＴＶ用の撮影カメラに搭載されて使用されるものである。この広角系ズームレンズは、光軸Ｚ１に沿って、フォーカス群Ｇ１、変倍群Ｇ２０、開口絞りＳｔ、リレーレンズ群Ｇ４が、物体側より順に配設された構成となっている。変倍群Ｇ２０は、物体側より順に、第１移動群Ｇ２および第２移動群Ｇ３が配設された構成となっている。この広角系ズームレンズの結像面（撮像面）Ｓｉｍｇには、例えば図示しない撮像素子が配置される。リレーレンズ群Ｇ４と撮像面との間には、レンズを装着するカメラ側の構成に応じて、種々の光学部材が配置されていても良い。図１の構成例では、色分解プリズム等からなる色分解光学系ＧＣが配置されている。
【００１８】
この広角系ズームレンズは、変倍群Ｇ２０を光軸上で移動させることにより変倍を行うようになっている。より具体的には、第１移動群Ｇ２を光軸上で移動させることにより変倍が行われ、それに伴う焦点移動の補正が第２移動群Ｇ３を光軸上で移動させることにより行われるようになっている。第１移動群Ｇ２と第２移動群Ｇ３は、広角端から望遠端へと変倍させるに従い、図１に実線で示した軌跡を描くように移動する。フォーカス調整は、フォーカス群Ｇ１の一部のレンズ群を光軸上で移動させることにより行われる。リレーレンズ群Ｇ４は、変倍時およびフォーカス時のいずれにおいても固定となっている。
【００１９】
フォーカス群Ｇ１は、この広角系ズームレンズにおいて最も特徴的な部分であり、全体として正の屈折力を有している。このフォーカス群Ｇ１は、全体として例えば負の屈折力を有し、フォーカス時に固定の第１レンズ群Ｇ１１、全体として正の屈折力を有する第２レンズ群Ｇ１２、および全体として例えば正の屈折力を有し、フォーカス時に固定の第３レンズ群Ｇ１３が、物体側より順に配設された構成となっている。
【００２０】
第１レンズ群Ｇ１１は、複数枚の負レンズが先行配置されると共に、最も像面側に正レンズが配置された構成となっている。具体的には、例えば４枚のレンズＬ１１〜Ｌ１４で構成され、Ｌ１１〜Ｌ１３が負レンズ、レンズＬ１４が正レンズとなっている。
【００２１】
第１レンズ群Ｇ１１において、正レンズＬ１４の直前には、物体側に強い凹面を向けた負レンズＬ１３が配置され、その負レンズＬ１３のアッベ数をνｎ１１としたとき、以下の条件式（１）を満足している。
νｎ１１≧８０  ……（１）
【００２２】
第１レンズ群Ｇ１１において、レンズＬ１１は例えば、物体側に凸面を向けた負のメニスカスレンズとなっている。レンズＬ１２は例えば、両凹レンズとなっている。レンズＬ１４は例えば、両凸レンズとなっている。
【００２３】
第２レンズ群Ｇ１２は、少なくとも１枚のレンズで構成され、かつ正レンズのみからなっている。第２レンズ群Ｇ１２は、正の屈折力を有していることにより、無限遠から近距離物体（至近）へのフォーカス時に結像面側に移動する。このように、この広角系ズームレンズは、フォーカス群Ｇ１のうち、内部の一部の群を動かすインナーフォーカスタイプのレンズとなっている。
【００２４】
第２レンズ群Ｇ１２は、具体的には例えば、２枚の正レンズＬ１５−１，Ｌ１５−２で構成されている。正レンズＬ１５−１，Ｌ１５−２は例えば、物体側に凹面を向けた正のメニスカスレンズとなっている。図４の構成例では、第２レンズ群Ｇ１２が１枚の正レンズＬ１５で構成されている。正レンズＬ１５は例えば、物体側に凹面を向けた正のメニスカスレンズとなっている。
【００２５】
第３レンズ群Ｇ１３は、像面側に凹面を向けた少なくとも１枚の負レンズを含み、全体として正の屈折力を有している。具体的には例えば、負レンズとして１枚の負レンズＬ１６を含んでいる。負レンズＬ１６は例えば、両凹レンズとなっている。図４に示した構成例では、２枚の負レンズＬ１６−１，Ｌ１６−２を含んでいる。負レンズＬ１６−１は例えば、物体側に凹面を向けた負のメニスカスレンズとなっている。負レンズＬ１６−２は例えば、両凹レンズとなっている。
【００２６】
第３レンズ群Ｇ１３は、さらに、負レンズよりも像面側に複数枚の正レンズを含み、かつ、最終面が像面に対して凸面を向けた形状となっていることが好ましい。具体的には、例えば３枚の正レンズＬ１７〜Ｌ１９を含んでいる。図示した構成例では、正レンズＬ１９の像面側の面が第３レンズ群Ｇ１３の最終面となっており、この面が像面に対して凸面を向けた形状となっている。
【００２７】
この広角系ズームレンズは、第１レンズ群Ｇ１１における最も像面側の正レンズＬ１４のアッベ数νｐ１１、第３レンズ群Ｇ１３における負レンズＬ１６（またはＬ１６−２）のアッベ数νｎ１３に関して、以下の条件式（２），（３）を満足するように構成されていることが好ましい。
３５≦νｐ１１≦５６  ……（２）
２５≦νｎ１３≦３５  ……（３）
【００２８】
この広角系ズームレンズはまた、第３レンズ群Ｇ１３における複数の正レンズＬ１７〜Ｌ１９に関して、以下の条件式（４）を満足するように構成されていることが好ましい。ｆ３Ｆ，Ｎ３Ｆは、それぞれ、複数の正レンズＬ１７〜Ｌ１９のうち、最も物体側にあるレンズＬ１７の焦点距離および屈折率を示す。ｆ３Ｒ，Ｎ３Ｒは、それぞれ、複数の正レンズＬ１７〜Ｌ１９のうち、最も像面側にあるレンズＬ１９の焦点距離および屈折率を示す。ＰＦ，ＰＲは、ペッツバール和に関連するものである。
【００２９】
１．０≦ＰＲ／ＰＦ≦２．１  ……（４）
ただし、
ＰＦ＝１／（ｆ３Ｆ・Ｎ３Ｆ），ＰＲ＝１／（ｆ３Ｒ・Ｎ３Ｒ）
【００３０】
変倍群Ｇ２０において、第１移動群Ｇ２は、全体として負の屈折力を有している。この第１移動群Ｇ２は、具体的には例えば５枚のレンズＬ２１〜Ｌ２５により構成される。レンズＬ２１は例えば、像面側に凹面を向けた負のメニスカスレンズとなっている。レンズＬ２２，Ｌ２３は例えば、接合レンズとなっている。レンズＬ２４，Ｌ２５も例えば、接合レンズとなっている。
【００３１】
第２移動群Ｇ３は、全体として正または負の屈折力を有している。この第２移動群Ｇ３は、具体的には例えば２枚の接合レンズＬ３１，Ｌ３２により構成される。
【００３２】
リレーレンズ群Ｇ４は、全体として正の屈折力を有している。このリレーレンズ群Ｇ４は、具体的には例えば１０枚のレンズＬ４１〜Ｌ５０により構成される。図１および図４の構成例では、レンズＬ４１〜Ｌ４４からなる前群とレンズＬ４５〜Ｌ５０からなる後群との間（Ｄ３９）で、光束がほぼ平行となるように構成されている。この構成例では、後群の物体側に負の屈折力を配分し、像面側に正の屈折力を配分することで、レトロ比を大きくし、色分解光学系ＧＣなどを配置するためのバックフォーカスを確保している。
【００３３】
次に、以上のように構成された広角系ズームレンズの作用および効果を説明する。
【００３４】
この広角系ズームレンズでは、変倍群Ｇ２０における第１移動群Ｇ２を光軸方向に移動させることにより、変倍が行われ、その変倍に伴う焦点移動の補正が、第２移動群Ｇ３を光軸方向に移動させることにより行われる。フォーカス調整は、フォーカス群Ｇ１のうち、第２レンズ群Ｇ１２を光軸上で移動させることにより行われる。第２レンズ群Ｇ１２は、正の屈折力を有していることにより、無限遠から近距離物体（至近）へのフォーカス時に結像面側に移動する。
【００３５】
この広角系ズームレンズでは、フォーカス群Ｇ１を複数群に分割し、そのうちの第２レンズ群Ｇ１２のみを移動させるようなインナーフォーカスの構成を採用したことで、フォーカス時の画角変化（ブリージング）を良好に保つことができると共に、フォーカス調整機構の簡略化を図ることができる。また、最前群である第１レンズ群Ｇ１１を固定群にしたことで、防塵・防曇性を確保することも容易となる。
【００３６】
また特にフォーカス群Ｇ１の各群の硝材やレンズ形状などを、各条件式を適宜満たして最適化することで、諸収差の発生が各変倍域にわたって良好に補正される。
【００３７】
条件式（１）〜（３）は、倍率色収差を補正するための条件である。特に、条件式（１）は、全変倍域において、特に画面隅部で発生する倍率色収差の２次スペクトルを少なく抑えるための条件である。条件式（２），（３）は、全変倍域、全画面領域において、倍率色収差のバランスを取るための条件である。条件式（２）の下限を下回ると、特に短波長側での倍率色収差が補正過剰となり、上限を上回ると、逆に補正不足となる。条件式（３）の下限を下回ると、特に短波長側での倍率色収差が補正不足となり、上限を上回ると、逆に補正過剰となる。
【００３８】
またこの広角系ズームレンズでは、フォーカス群Ｇ１の後部の第３レンズ群Ｇ１３に複数枚の正レンズＬ１７〜Ｌ１９を配置し、正の屈折力を適切な配分で分散させることで、像面特性の改善がしやすくなる。また、第３レンズ群Ｇ１３の最終面を、像面に対して凸面を向けた形状にしていることで、特に広角端での歪曲収差が補正しやすくなる。
【００３９】
条件式（４）は、ペッツバール和に関連するもので、特に広角端から望遠側へズーミングしたときの画面周辺部での像面特性をより良好に保つための条件である。条件式（４）の上限を越えると、特に、広角端寄りのズーム中間域における像面がアンダーとなり、下限を下回ると、逆に像面がオーバとなるので好ましくない。
【００４０】
このように、本実施の形態に係る広角系ズームレンズによれば、条件式（１）〜（３）を満足することで、主に倍率色収差の改善を良好に行うことができる。また特に、フォーカス群Ｇ１の後部にある第３レンズ群Ｇ１３の構成を上記したように適切なものとすることで、主に像面特性および歪曲収差の改善を行うことができる。これらにより、高精細なテレビカメラへの搭載に適した、使い勝手が良く諸収差も良好に補正された広角系ズームレンズを実現できる。
【００４１】
【実施例】
次に、本実施の形態に係る広角系ズームレンズの具体的な数値実施例について説明する。以下では、第１および第２の数値実施例（実施例１，２）をまとめて説明する。図６，図７は、図１〜図３に示した広角系ズームレンズの構成に対応する具体的なレンズデータ（実施例１）を示している。特に図６には、フォーカス群Ｇ１および第１移動群Ｇ２に関するレンズデータを示し、図７には、第２移動群Ｇ３以降、結像面までのレンズデータを示す。
【００４２】
また、図８，図９は、図４，図５に示した広角系ズームレンズの構成に対応する具体的なレンズデータ（実施例２）を示している。特に図８には、フォーカス群Ｇ１および第１移動群Ｇ２に関するレンズデータを示し、図９には、第２移動群Ｇ３以降、結像面までのレンズデータを示す。
【００４３】
各図に示したレンズデータにおける面番号Ｓｉの欄には、各実施例の広角系ズームレンズについて、絞りＳｔも含めて最も物体側の構成要素の面を１番目として、像側に向かうに従い順次増加するようにして符号を付したｉ番目（ｉ＝１〜５２）の面の番号を示している。曲率半径Ｒｉの欄には、図２等において付した符号Ｒｉに対応させて、物体側からｉ番目の面の曲率半径の値を示す。面間隔Ｄｉの欄についても、図２等において付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｉの欄には、色分解光学系ＧＣも含めて、物体側からｉ番目のレンズ要素のｄ線（５８７．６ｎｍ）に対する屈折率の値を示す。νｄｊの欄には、色分解光学系ＧＣも含めて、物体側からｊ番目（ｊ＝１〜２９）のレンズ要素のｄ線に対するアッベ数の値を示す。なお、曲率半径Ｒｉの値が０（ゼロ）の部分は、平面または仮想面であることを示す。
【００４４】
各実施例の広角系ズームレンズ共に、フォーカシングの際には、フォーカス群Ｇ１のうち第２レンズ群Ｇ１２が移動する。したがって、第２レンズ群Ｇ１２の前後の面間隔Ｄ８，Ｄ１２（実施例２ではＤ１０）は、可変となっている。図示した各レンズデータには、面間隔Ｄ８，Ｄ１２（またはＤ１０）として、無限遠方（ＩＮＦ）にフォーカシングしたときの値を示している。
【００４５】
さらに各実施例の広角系ズームレンズ共に、変倍に伴って第１移動群Ｇ２および第２移動群Ｇ３が光軸上を移動するため、これらの各群の前後の面間隔Ｄ２０，Ｄ２８，Ｄ３１の値は、可変となっている。これらの面間隔Ｄ２０，Ｄ２８，Ｄ３１の変倍時のデータとして、広角端、中間および望遠端における各実施例の値を以下の表１，２に示す。また、各実施例の広角系ズームレンズについて、広角端での焦点距離ｆＷ，中間での焦点距離ｆＭ，および望遠端での焦点距離ｆＴの値（ｍｍ）を表３にまとめて示す。表３に示したように、各実施例について、焦点距離の可変域が約５ｍｍから約１５ｍｍまでとなっている。表３にはまた、バックフォーカスＢｆの値（ｍｍ）とＦナンバー（ＦＮＯ．）の値とを各実施例のレンズについてまとめて示す。
【００４６】
【表１】
2004341238.tif 000003
【００４７】
【表２】
2004341238.tif 000004
【００４８】
【表３】
2004341238.tif 000005
【００４９】
また、表４および表５に、上述の条件式（１）〜（４）に関する値を、各実施例についてまとめて示す。表４および表５に示したように、各実施例の値が、各条件式（１）〜（４）の数値範囲内となっている。
【００５０】
【表４】
2004341238.tif 000006
【００５１】
【表５】
2004341238.tif 000007
【００５２】
図１０（Ａ）〜（Ｄ）は、実施例１の広角系ズームレンズにおける広角端での球面収差、非点収差、ディストーション（歪曲収差）、および倍率色収差を示している。図１１（Ａ）〜（Ｄ）は、中間域における同様の各収差を示している。図１２（Ａ）〜（Ｄ）は、望遠端における同様の各収差を示している。各収差図には、ｄ線を基準波長とした収差を示すが、球面収差図および倍率色収差図には、ｇ線（波長４３５．８ｎｍ），Ｃ線（波長６５６．３ｎｍ）についての収差も示す。非点収差図において、実線はサジタル方向、破線はタンジェンシャル方向の収差を示す。ωは、半画角を示す。
【００５３】
同様に、実施例２についての諸収差を図１３（Ａ）〜（Ｄ）（広角端）、図１４（Ａ）〜（Ｄ）（中間域）および図１５（Ａ）〜（Ｄ）（望遠端）に示す。
【００５４】
以上の各数値データおよび各収差図から分かるように、各実施例について、各変倍域にわたって倍率色収差を始めとする諸収差が良好に補正されている。
【００５５】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【００５６】
また、本発明の特徴部分は、特にフォーカス群Ｇ１にあり、変倍群Ｇ２０およびリレーレンズ群Ｇ４の構成は図示したものに限定されず、レンズ枚数やそのレンズ形状なども他の構成をとり得る。
【００５７】
【発明の効果】
以上説明したように、本発明の広角系ズームレンズによれば、特に、フォーカス群の第１レンズ群における最も像面側の正レンズの直前に、物体側に凹面を向けた負レンズを配置し、その負レンズのアッベ数νｎ１１に関して適切な条件式（１）を満足するように構成したので、主に倍率色収差の改善を良好に行うことができる。
【００５８】
特に、第１レンズ群における最も像面側の正レンズのアッベ数νｐ１１と第３レンズ群における負レンズのアッベ数νｎ１３とに関して適切な条件式（２），（３）を満足するような構成にした場合には、全変倍域、全画面領域において、倍率色収差のバランスを取りやすくなり、倍率色収差の改善をより良好に行うことができる。
【００５９】
また特に、フォーカス群における第３レンズ群を、物体側より順に、負レンズおよび複数枚の正レンズで構成し、第３レンズ群の最終面を像面に対して凸面を向けた構成にした場合には、フォーカス群の後部に正の屈折力を適切な配分で容易に分散させることができ、主に像面特性の改善を良好に行うことができる。また、第３レンズ群の最終面が像面に対して凸面を向けていることにより、特に広角端での歪曲収差を容易に補正できる。
【図面の簡単な説明】
【図１】本発明の一実施の形態に係る広角系ズームレンズの全体構成を示すものであり、実施例１に対応するレンズ断面図である。
【図２】図１に示した広角系ズームレンズの一部を拡大して示したレンズ断面図である。
【図３】図１に示した広角系ズームレンズのその他の部分を拡大して示したレンズ断面図である。
【図４】本発明の一実施の形態に係る他の広角系ズームレンズの全体構成を示すものであり、実施例２に対応するレンズ断面図である。
【図５】図４に示した広角系ズームレンズの一部を拡大して示したレンズ断面図である。
【図６】実施例１に係る広角系ズームレンズの第１移動群までのレンズデータを示す図である。
【図７】実施例１に係る広角系ズームレンズの第２移動群以降のレンズデータを示した図である。
【図８】実施例２に係る広角系ズームレンズの第１移動群までのレンズデータを示す図である。
【図９】実施例２に係る広角系ズームレンズの第２移動群以降のレンズデータを示した図である。
【図１０】実施例１に係る広角系ズームレンズの広角端における球面収差、非点収差、ディストーション、および倍率色収差を示す収差図である。
【図１１】実施例１に係る広角系ズームレンズの中間域における球面収差、非点収差、ディストーション、および倍率色収差を示す収差図である。
【図１２】実施例１に係る広角系ズームレンズの望遠端における球面収差、非点収差、ディストーション、および倍率色収差を示す収差図である。
【図１３】実施例２に係る広角系ズームレンズの広角端における球面収差、非点収差、ディストーション、および倍率色収差を示す収差図である。
【図１４】実施例２に係る広角系ズームレンズの中間域における球面収差、非点収差、ディストーション、および倍率色収差を示す収差図である。
【図１５】実施例２に係る広角系ズームレンズの望遠端における球面収差、非点収差、ディストーション、および倍率色収差を示す収差図である。
【符号の説明】
ＧＣ…色分解光学系、Ｇ１…フォーカス群、Ｇ１１…第１レンズ群、Ｇ１２…第２レンズ群、Ｇ１３…第３レンズ群、Ｇ２…第１移動群、Ｇ３…第２移動群、Ｇ４…リレーレンズ群、Ｇ２０…変倍群、Ｒｉ…物体側から第ｉ番目のレンズ面の曲率半径、Ｄｉ…物体側から第ｉ番目と第ｉ＋１番目のレンズ面との面間隔、Ｚ１…光軸。
【図１】
2004341238.tif 000008
【図２】
2004341238.tif 000009
【図３】
2004341238.tif 000010
【図４】
2004341238.tif 000011
【図５】
2004341238.tif 000012
【図６】
2004341238.tif 000013
【図７】
2004341238.tif 000014
【図８】
2004341238.tif 000015
【図９】
2004341238.tif 000016
【図１０】
2004341238.tif 000017
【図１１】
2004341238.tif 000018
【図１２】
2004341238.tif 000019
【図１３】
2004341238.tif 000020
【図１４】
2004341238.tif 000021
【図１５】
2004341238.tif 000022